(57)【要約】【課題】利用者がパターの長さを自在に調整することが可能であり、もって１本のパターを最適な長さとして利用することができ、あるいは最適な長さが決定するまで様々な長さで利用することができるパタークラブを提供する。【解決手段】グリップ１１およびシャフト２１を有するパター１において、グリップ１１にシャフト２１を任意の深さまで差し込んで固定することによりパター１の長さを利用者個々の好みの長さとなるように設定する。グリップ１１は、シャフト２１を差し込んで固定する中空剛性体よりなる内層１２を有し、内層１２の中途までシャフト２１を差し込んで固定したときにはシャフト２１が差し込まれていない内層１２のグリップエンド側余剰部分２０がグリップ１１の剛性についてシャフト２１の延長部分として機能する。また、好みのパター長さが決定するまではグリップ１１とシャフト２１とを仮止め手段によって仮止めする。【選択図】図５
2005160689.tif 000002
【特許請求の範囲】
【請求項１】
グリップ（１１）およびシャフト（２１）を有するゴルフパター（１）において、
前記グリップ（１１）に前記シャフト（２１）を任意の深さまで差し込んで固定することにより当該パター（１）の長さを利用者個々の好みの長さとなるように設定することを特徴とするゴルフパター。
【請求項２】
請求項１のゴルフパターにおいて、
グリップ（１１）は、シャフト（２１）を差し込んで固定する中空剛性体よりなる内層（１２）と、前記内層（１２）を被覆する外層（１３）とを有し、
前記内層（１２）の長手方向中途まで前記シャフト（２１）を差し込んで固定したときに、前記シャフト（２１）が差し込まれていない前記内層（１２）のグリップエンド側余剰部分（２０）は当該パター（１）ないしグリップ（１１）の剛性について前記シャフト（２１）の延長部分として機能することを特徴とするゴルフパター。
【請求項３】
請求項１または２のゴルフパターにおいて、
前記好みのパター長さが決定するまでグリップ（１１）とシャフト（２１）とを仮止めする仮止め手段（５１）を有することを特徴とするゴルフパター。
【発明の詳細な説明】
【技術分野】
【０００１】
本発明は、ゴルフクラブの一種であるゴルフパターに関するものである。
【背景技術】
【０００２】
パターで必ず入るパターも無ければ、絶対入らないパターも無い。ただ個人差によるパターの善し悪しは有る。それはその人の体力や運動神経またはパッティングフォーム等による。もしその人にそのパターの商品コンセプトが合致するならば、その人にとってそのパターは「良く入るパター」ということになる。したがって市場には無数のタイプのパターが氾濫している。このような状況のもとで本願発明者らは、振り子タイプのパターにおいて、身長や体重、そしてパッティングスタイルの違い等をカバーするために、パターグリップの選択や長さ調整のできる取付けシステム、パターヘッドの重さをデザインに組み込んだウエイト調整などが可能なパターと、このパターとともに利用するのに適したパター練習機とを開発した。このうち本発明は、パターの長さ調整に関するものである。
【０００３】
すなわち周知のように、パターはその製造組立段階でグリップの最深部までシャフトを差し込んで両者を固定しており（例えば特許文献１参照）、よって商品の規格ごとに一定のパター長さ（パター全体の長さ）を有している。パター長さはシャフトの長短によって決定されることになる。
【０００４】
しかしながらこのような構成では、利用者が自らの好みに合うようにパター長さを微妙に調整することができないことから、利用者の方がパターに合わせてパッティングフォームを作るという逆転現象が生じている。
【０００５】
また、様々な長さのパターを試しながら自分のパッティングフォームを決めていくということも当然なされており、これを１本のパターで行なうことができれば極めて便利である。
【０００６】
【特許文献１】特開２００３−１１７０３５号公報（図１、図２、図３）
【発明の開示】
【発明が解決しようとする課題】
【０００７】
本発明は以上の点に鑑みて、利用者がパターの長さを自在に調整することが可能であり、もって１本のパターを最適な長さとして利用することができ、あるいは最適な長さが決定するまで様々な長さで利用することができるパタークラブを提供することを目的とする。
【課題を解決するための手段】
【０００８】
上記目的を達成するため、本発明の請求項１によるゴルフパターは、グリップおよびシャフトを有するゴルフパターにおいて、前記グリップに前記シャフトを任意の深さまで差し込んで固定することにより当該パターの長さを利用者個々の好みの長さとなるように設定することを特徴とするものである。
【０００９】
また、本発明の請求項２によるゴルフパターは、上記した請求項１のゴルフパターにおいて、グリップは、シャフトを差し込んで固定する中空剛性体よりなる内層と、前記内層を被覆する外層とを有し、前記内層の長手方向中途まで前記シャフトを差し込んで固定したときに、前記シャフトが差し込まれていない前記内層のグリップエンド側余剰部分は当該パターないしグリップの剛性について前記シャフトの延長部分として機能することを特徴とするものである。
【００１０】
また、本発明の請求項３によるゴルフパターは、上記した請求項１または２のゴルフパターにおいて、前記好みのパター長さが決定するまでグリップとシャフトとを仮止めする仮止め手段を有することを特徴とするものである。
【発明の効果】
【００１１】
本発明は、以下の効果を奏する。
【００１２】
すなわち、上記構成を備えた本発明の請求項１によるゴルフパターにおいては、グリップにシャフトを任意の深さまで差し込んで固定することによりパターの長さを利用者個々の好みの長さとなるように設定するために、利用者は身長やフォーム等に合わせてパターの長さを自在に調整することが可能となる。したがって、１本のパターを最適な長さとして利用することが可能となり、これにより無理のない理想的なパッティングフォームを得ることができる。
【００１３】
またこれに加えて、上記構成を備えた本発明の請求項２によるゴルフパターにおいては、内層のグリップエンド側余剰部分がパターないしグリップの剛性についてシャフトの延長部分として機能するために、内層の長手方向中途までシャフトを差し込んで固定した場合でもパターないしグリップの全長に亙って剛性を確保することが可能となる。したがって、パターの長さを自在に調整可能でありながらどのような長さに調整してもパターないしグリップの全長に亙って剛性を確保することができ、よってパッティングに支障を生じることがないパタークラブを提供することができる。
【００１４】
また、上記構成を備えた本発明の請求項３によるゴルフパターにおいては、好みのパター長さが決定するまでグリップとシャフトとを仮止めする仮止め手段を有しているために、利用者は１本のパターを様々な長さに変えて試し打ちすることが可能となる。したがって、好みのパター長さが決定するまで１本のパターを使い続けることができ、しかも好みのパター長さが決定した後も同じパターを使い続けることができる。
【発明を実施するための最良の形態】
【００１５】
本発明において、グリップが、シャフトを差し込んで固定する中空剛性体よりなる内層と、この内層を被覆する外層とを有している場合には、内層は外層のグリップエンド以外の全長に亙ってこれを内挿するのが好適であり、このようにすればパター長さの調整可能範囲を広く設定することができる。例えばグリップの長さが約３００ｍｍである場合、その全長に亙って内層を内挿すれば、グリップとシャフトの固定に約１００ｍｍ必要であるとして、約２００ｍｍの調整可能範囲を設定することができる。またこの場合、例えばグリップを約２００ｍｍ差し込んで固定すると、残る約１００ｍｍについても内層が配置されているため、グリップの全長に亙って剛性を確保することができる。
【００１６】
グリップとシャフトの固定手段としては、接着剤を用いるのが好適であり、特に粘度が高い接着剤を用いるのが適している。但し、固定手段は接着剤による接着に限定されず、ねじ込み、圧入、固定具の利用など他の手段であっても良い。
【００１７】
また、グリップとシャフトの仮止め手段としては、仮止め具を用いるのが好適であり、特に下記実施例に示すようにシャフトに着脱自在に固定される筒状の固定部の軸方向一端にシャフトとともにグリップに圧入される筒状の差込み部を一体成形したものなどが好適である。
【実施例】
【００１８】
つぎに本発明の実施例を図面にしたがって説明する。
【００１９】
図１は、本発明の実施例に係るゴルフパター１を、アドレスして当該パター１を構えた利用者の目線の方向から見た状態の説明図であって、図示するように当該パター１はその構成要素としてグリップ１１、シャフト２１およびヘッド３１を有している。また、当該パター１はいわゆる振り子式パターであって、シャフト２１はその下端部に屈曲部２２を有するものの、その中心軸線はヘッド３１の重心の方向を向いている。
【００２０】
図２ないし図４は、グリップ１１の単品図を示しており、このグリップ１１は、シャフト２１を差し込んで固定する中空剛性体よりなる内層（内層部材とも称する）１２と、この内層１２を被覆する外層（外層部材とも称する）１３とを有している。
【００２１】
内層１２は、ステンレス等の金属によって円筒状に形成されており、シャフト２１の端部を挿抜自在に差し込むことができる内径寸法ｄ１を有しており、また外層１３のグリップエンド１４を除く全長に亙って内挿される長さ寸法Ｌ１を有している。
【００２２】
外層１３は、ゴム状弾性体によって形成されており、その中心軸線上に内層１２を挿入するための円筒状の内層保持孔１５を有している。この内層保持孔１５は外層１３のヘッド側端部１６に開口しており、グリップエンド１４側は先止まりとされている。外層１３の長さ寸法（全長）は実寸で約３００ｍｍとされている。図４に示すように外層１３の表面には、溝状ないし凹部状等を呈する滑り止め１７を形成しても良い。
【００２３】
この内層１２と外層１３は、インサート成形により一体化されており、または圧入や接着等その他の組付け手段により一体化されており、いずれにしても内層１２の内周空間がヘッド側端部１６に開口してシャフト差込み孔１８とされている。
【００２４】
また図示するように、外層１３は、その長手方向両端部を除く把持部１９がその全長Ｌ２に亙って太さの均一な形状に形成されている。また、把持部１９はその全長Ｌ２に亙って横断面形状が楕円形に形成されており、これによりこのグリップ１１はヘッド３１のフェース面３２と直交する方向に方向性をもつ形状とされている。尚、把持部１９とはグリップ１１の全長のうち長手方向両端部を除いたグリップ本体部分のことを言う。把持部１９の長さ寸法は実寸で約２６０ｍｍとされており、上記楕円形の長径寸法は約４０ｍｍ、短径寸法は約１８ｍｍとされている。外層１３の長手方向両端部はそれぞれ、上記横断面形状である楕円形が徐々に小さくなるような先窄まりの形状に形成されている。
【００２５】
上記構成のグリップ１１は、利用者が自らシャフト２１を任意の深さまで差し込んで固定することによりパター１の長さを利用者個々の好みの長さとなるよう設定するように構成されている。したがって、利用者が当該パター１を購入した時点ではグリップ１１は、一端にヘッド３１を固定したシャフト２１とは別体とされている。利用者はグリップ１１のシャフト差込み孔１８にシャフト２１の端部を任意の深さまで差し込んで固定することになる。したがって図５（Ａ）に示すように、シャフト差込み孔１８の全長すなわち内層１２の全長に亙ってシャフト２１を差し込んで固定することも可能であるし、または同図（Ｂ）に示すように、内層１２の長手方向中途までシャフト２１を差し込んで固定することも可能とされている。この後者の、内層１２の長手方向中途までシャフト２１を差し込んで固定した場合、シャフト２１が差し込まれていない内層１２のグリップエンド側余剰部分２０は当該パター１ないしグリップ１１の剛性についてシャフト２１の延長部分として機能し、よって当該パター１ないしグリップ１１の全長に亙って剛性を確保することが可能とされており、換言すればこの機能によりパター１の長さ調整が可能とされている。
【００２６】
グリップ１１とシャフト２１は、接着剤（図示せず）によって固定される。接着剤の種類としては、粘度が高く接着力が強い接着剤が適しており、このような接着剤をシャフト差込み孔１８に注入したり、シャフト２１の上端部外周面に塗布したりして使用する。尚、当該パター商品の流通に際しては、利用に適した接着剤が当該パター１の付属品として利用者に提供されることになる。
【００２７】
断面楕円形を呈するグリップ１１の取付けの向きについては、図１に示したように楕円形の長径方向がヘッド３１のフェース面３２と直交する方向を向くようヘッド３１およびシャフト２１に対してグリップ１１を固定する。この場合、利用者は同図に概略を示すように、左手４１の掌でグリップ１１を手前側から受けるようにして握ってパッティングの方向性を維持し、グリップ１１の下の方に延ばした右手４２の人差し指の腹をグリップ１１の後側長径稜線に当ててパッティングの距離感を出し、この要領で振り子式にパッティングする。グリップエンド１４はこれを腹部に押し当てても良い。尚、この取付けの向きは利用者の任意（好み）であるので、上記の場合と９０度違えて、楕円形の短径方向がヘッド３１のフェース面３２と直交する方向を向くようヘッド３１およびシャフト２１に対してグリップ１１を固定しても良い。
【００２８】
上記のようにして利用者は、グリップ１１にシャフト２１を任意の深さまで差し込んで固定することにより当該パター１の長さを個々の好みの長さとなるように設定するが、好みのパター長さが決定するまでは、グリップ１１とシャフト２１を仮止め状態として、１本のパター１を様々な長さに変えて試し打ちしてみると良い。グリップ１１とシャフト２１を仮止めする仮止め手段５１としては、以下のようなものが考えられる。
【００２９】
すなわち図６に示すように、仮止め手段５１は仮止め具（グリップストッパーとも称する）５２を有しており、この仮止め具５２を用いてグリップ１１とシャフト２１を仮止めする。
【００３０】
仮止め具５２は、シャフト２１の外周に着脱自在に嵌着される合成樹脂製の筒状固定部５３を有しており、この筒状固定部５３の軸方向一端に、シャフト２１とともにグリップ１１のシャフト差込み孔１８に圧入される筒状差込み部５４が一体成形されている。筒状固定部５３および筒状差込み部５４には、これを弾性的に拡開してシャフト２１の外周に着脱自在に嵌着するためのすり割り５５が円周上一箇所に設けられており、また筒状固定部５３の外周面には、溝状ないし凹部状等を呈する滑り止め５６が設けられている。筒状固定部５３および筒状差込み部５４は共にシャフト２１の外周に嵌着されるので、同一の内径寸法を有して内周面を面一状に形成されている。筒状差込み部５４はグリップ１１のシャフト差込み孔１８に圧入され、一方筒状固定部５３は圧入時にグリップ１１のヘッド側端面１６に突き当てられるので、筒状差込み部５４は筒状固定部５３よりも外径寸法を小さく形成されている。また、筒状差込み部５４はこれをグリップ１１のシャフト差込み孔１８に圧入し易いように外周面を先窄まりのテーパ状に形成されるとともに、先端部５７をすり割り５５と１８０度対称位置で先高となるように斜めにカットされた形状に形成されている。
【００３１】
上記構成の仮止め具５２を用いてグリップ１１とシャフト２１を仮止めするに際しては、先ず図７（Ａ）に示すように、シャフト２１外周の任意の位置に仮止め具５２をすり割り５５から嵌着し、次いで同図（Ｂ）に示すように、筒状差込み部５４をシャフト２１とともにグリップ１１のシャフト差込み孔１８に圧入する。また、一旦仮止めしてからパター長さを変更する場合には、筒状差込み部５４をシャフト２１とともにシャフト差込み孔１８から引き抜き、仮止め具５２をシャフト２１上でスライドさせてその嵌着位置を変えてから、筒状差込み部５４をシャフト２１とともにシャフト差込み孔１８に再度圧入する。外周面を先窄まりのテーパ状に形成された筒状差込み部５４は圧入時、くさび作用によってグリップ１１とシャフト２１を強固に固定することができる。
【００３２】
上記構成によれば、以下の作用効果を奏することが可能である。
【００３３】
すなわち先ず、グリップ１１にシャフト２１を任意の深さまで差し込んで固定することによりパター１の長さを利用者個々の好みの長さとなるよう設定するように構成されているために、利用者は身長やフォーム等に合わせてパター１の長さを自在に調整することが可能である。調整はまったくの無段階調整であり、よって微妙な調整まで可能である。したがって、利用者は１本のパター１を最適な長さとして利用することが可能となり、これにより無理のない理想的なパッティングフォームを得ることができる。
【００３４】
また、金属製の内層１２が外層１３のグリップエンド１４を除く全長に内挿されていて、内層１２のグリップエンド側余剰部分２０がパター１ないしグリップ１１の剛性についてシャフト２１の延長部分として機能するために、内層１２の長手方向中途までシャフト２１を差し込んで固定した場合でもパター１ないしグリップ１１の全長に亙って剛性を確保することが可能である。したがって、パター１の長さを自在に調整可能でありながらどのような長さに調整してもパター１ないしグリップ１１の全長に亙って剛性を確保することができ、よってパッティングに支障を生じることがないパタークラブを提供することができる。
【００３５】
また、好みのパター長さが決定するまでグリップ１１とシャフト２１を仮止めする仮止め手段５１を有しているために、利用者は１本のパター１を様々な長さに変えて試し打ちすることが可能である。したがって、利用者は好みのパター長さが決定するまで１本のパター１を使い続けることができ、しかも好みのパター長さが決定した後も、使い慣れた同じパター１を使い続けることができる。
【００３６】
尚、上記実施例には、本発明の技術的思想の範疇で様々な変更を加えることができる。例えば、グリップ１１における把持部１９の形状は、グリップエンド１４側からヘッド３１側へかけて漸次細くなる形状としても良いし、反対に図６に示すようにグリップエンド１４側からヘッド３１側へかけて漸次太くなる形状としても良い。またグリップ１１の横断面形状は、円形でも良いし、その他の形状であっても良い。図６の例では、グリップ１１の横断面形状が正方形（但し四隅は面取りされている）とされており、楕円形の場合と同じくヘッド３１のフェース面３２と直交する方向に方向性をもつ形状とされている。また、内層１２および外層１３は内外２層の構成であるが、両者１２，１３の間に第三層を介装しても良い。
【図面の簡単な説明】
【００３７】
【図１】本発明の実施例に係るゴルフパターの全体構成説明図
【図２】同ゴルフパターにおけるグリップの単品図であって、（Ａ）はその側面図、（Ｂ）はその正面図
【図３】同グリップの単品図であって、（Ａ）はその平面図、（Ｂ）はその底面図、（Ｃ）は図２（Ｂ）におけるＡ−Ａ線断面図（横断面図）、（Ｄ）は図２（Ａ）におけるＢ−Ｂ線断面図（縦断面図）
【図４】同グリップの単品図であってその斜視図
【図５】パター長さの調整方法を示す図であって、（Ａ）はグリップの最深部までシャフトを差し込んだ状態の断面図、（Ｂ）はグリップの長手方向中途までシャフトを差し込んだ状態の断面図
【図６】仮止め具の単品図であって、（Ａ）はその平面図、（Ｂ）は同図（Ａ）におけるＣ−Ｃ線断面図、（Ｃ）はその正面図、（Ｄ）はその側面図
【図７】仮止め具の使用方法を示す図であって、（Ａ）は仮止め具をシャフトに嵌着した状態の断面図、（Ｂ）は仮止め具をシャフトとともにグリップに圧入した状態の断面図
【図８】グリップの他の例を示す斜視図
【符号の説明】
【００３８】
１  パター
１１  グリップ
１２  内層
１３  外層
１４  グリップエンド
１５  内層保持孔
１６  ヘッド側端部
１７，５６  滑り止め
１８  シャフト差込み孔
１９  把持部
２０  グリップエンド側余剰部分
２１  シャフト
２２  屈曲部
３１  ヘッド
３２  フェース面
４１  左手
４２  右手
５１  仮止め手段
５２  仮止め具
５３  筒状固定部
５４  筒状差込み部
５５  すり割り
５７  先端部
【図１】
2005160689.tif 000003
【図２】
2005160689.tif 000004
【図３】
2005160689.tif 000005
【図４】
2005160689.tif 000006
【図５】
2005160689.tif 000007
【図６】
2005160689.tif 000008
【図７】
2005160689.tif 000009
【図８】
2005160689.tif 000010